(57)【特許請求の範囲】
【請求項１】
燃焼量可変型のバーナーと、このバーナーにより加熱される冷媒加熱器と、この冷媒加熱器で加熱された冷媒を室内熱交換器に循環せしめる冷媒循環手段とを備え、この冷媒循環手段は室内の温度が下限温度より低い場合に起動すると共に室内の温度が上限温度に上昇した場合には停止するように運転制御され、且つ、前記バーナーは前記冷媒循環手段の運転・停止に基づいて燃焼・停止されるように成した冷媒加熱式空気調和機であって、
前記バーナーによる冷媒加熱器の加熱開始から停止されるまでの加熱時間を計時する計時手段と、前記加熱時間が第１の所定値よりも短い場合に、前記バーナーの燃焼量の設定を低減するセーブ運転制御手段とを備えたことを特徴とする冷媒加熱式空気調和機。
【請求項２】
セーブ運転制御手段は、バーナーの燃焼量の設定が低減された状態における加熱時間が第２の所定値よりも短い場合、前記バーナーの燃焼量の設定を更に低減することを特徴とする請求項１の冷媒加熱式空気調和機。
【請求項３】
セーブ運転制御手段は、バーナーの燃焼量の設定が低減された状態における加熱時間が第３の所定値以上となった場合、前記バーナーの燃焼量の設定を増大させることを特徴とする請求項１又は請求項２の冷媒加熱式空気調和機。
【請求項４】
第１の所定値乃至第３の所定値は同じ値であることを特徴とする請求項２又は請求項３の冷媒加熱式空気調和機。
【発明の詳細な説明】
【０００１】
【発明の属する技術分野】
本発明は、暖房運転時にバーナーによって冷媒を加熱する冷媒加熱式空気調和機に関するものである。
【０００２】
【従来の技術】
従来よりこの種冷媒加熱式空気調和機は、例えば特開平７−４７８４号公報（Ｆ２５Ｂ４１／００）に示される如く、室外機内にガスバーナーにて加熱される冷媒加熱器及びこの冷媒加熱器内の冷媒を循環させる冷媒圧縮機とを備えると共に、室内機には室内熱交換器を設け、暖房時には冷媒加熱器で加熱された冷媒を前記冷媒圧縮機の冷媒吐出動作にて室内熱交換器に循環して暖房運転を行うように構成されている。
【０００３】
この場合、冷媒圧縮機は室内機からの運転・停止指令により、室内の下限温度（例えば設定室温以下の値）と上限温度（例えば設定室温）の間でＯＮされるものであるが、バーナーはこの冷媒圧縮機のＯＮ−ＯＦＦに連動してＯＮ（燃焼）−ＯＦＦ（停止：消火）される方式が採られていた。
【０００４】
即ち、バーナーのＯＮ−ＯＦＦは室外機側で制御されており、また、その燃焼量（暖房出力）も冷媒温の過昇などの特別な状況を除き、通常は一定の値で運転されるものであった。
【０００５】
【発明が解決しようとする課題】
しかしながら、係る従来の方式では特に室内の熱負荷が小さい状況などに、バーナーの燃焼開始から室内温度が急速に上昇するようになるため、結果的にバーナーや圧縮機は比較的頻繁にＯＮ−ＯＦＦされる状況となる。そのため、これらの機器の経年劣化による耐久性の低下が問題となっていた。
【０００６】
また、燃焼の開始により室内機からは温風が吹き出し、比較的短時間で上限温度に達して停止し、そしてまた下限温度にて吹き出す状況となるため、室内の温度変化が激しくなり、使用者に不快感を与える原因ともなっていた。
【０００７】
本発明は、係る従来の技術的課題を解決するために成されたものであり、冷媒加熱式空気調和機において、機器の耐久性を改善すると共に、使用者の快適性を向上させることを目的とするものである。
【０００８】
【課題を解決するための手段】
本発明の冷媒加熱式空気調和機は、燃焼量可変型のバーナーと、このバーナーにより加熱される冷媒加熱器と、この冷媒加熱器で加熱された冷媒を室内熱交換器に循環せしめる冷媒循環手段とを備え、この冷媒循環手段は室内の温度が下限温度より低い場合に起動すると共に室内の温度が上限温度に上昇した場合には停止するように運転制御され、且つ、前記バーナーは前記冷媒循環手段の運転・停止に基づいて燃焼・停止されるように成したものであって、バーナーによる冷媒加熱器の加熱開始から停止されるまでの加熱時間を計時する計時手段と、加熱時間が第１の所定値よりも短い場合に、バーナーの燃焼量の設定を低減するセーブ運転制御手段とを備えているものである。
【０００９】
本発明によれば、バーナーによる加熱開始から停止されるまでの加熱時間を計時手段により計時し、当該加熱時間が第１の所定値よりも短い場合にはセーブ運転制御手段によりバーナーの燃焼量の設定を低減する制御を行うようにしたので、特に室内の熱負荷が小さく、バーナーの燃焼により室内温度が急速に上昇するような状況において、バーナーの燃焼量の設定を低減させ、バーナーや冷媒循環手段の頻繁なＯＮ−ＯＦＦを解消することができるようになる。
【００１０】
これにより、これらの機器の耐久性を向上させることが可能となると共に、消費電力の削減も期待できる。また、頻繁な暖房ＯＮ−ＯＦＦが回避されることになるので、室内の温度変化が小さくなり、使用者の快適性も向上するものである。
【００１１】
請求項２の発明の冷媒加熱式空気調和機は、上記においてセーブ運転制御手段は、バーナーの燃焼量の設定が低減された状態における加熱時間が第２の所定値よりも短い場合、バーナーの燃焼量の設定を更に低減するものである。
【００１２】
請求項２の発明によれば、上記に加えてバーナーの燃焼量の設定を低減している状態における加熱時間が第２の所定値よりも短い場合、セーブ運転制御手段がバーナーの燃焼量の設定を更に低減するようにしたので、暖房による室内温度の変化度合いに応じて燃焼量は段階的に低減されるようになる。従って、機器の耐久性と快適性を一層向上させることができるようになるものである。
【００１３】
請求項３の発明の冷媒加熱式空気調和機は、上記各発明においてセーブ運転制御手段は、バーナーの燃焼量の設定が低減された状態における加熱時間が第３の所定値以上となった場合、バーナーの燃焼量の設定を増大させるものである。
【００１４】
請求項３の発明によれば、上記各発明に加えてバーナーの燃焼量の設定を低減している状態における加熱時間が第３の所定値以上となった場合、セーブ運転制御手段がバーナーの燃焼量の設定を増大させるようにしたので、扉や窓の開閉により暖房効果が不足する状態となった場合には燃焼量が自動的に増大され、係る場合における快適性も支障無く維持することが可能となるものである。
【００１５】
請求項４の発明の冷媒加熱式空気調和機は、請求項２又は請求項３の発明において第１の所定値乃至第３の所定値を同じ値としたものである。
【００１６】
請求項４の発明によれば、請求項２又は請求項３の発明に加えて第１の所定値乃至第３の所定値を同じ値としたので、制御方式が簡素化されるものである。
【００１７】
【発明の実施の形態】
以下、図面に基づき本発明の実施形態を詳述する。図１は本発明の冷媒加熱式空気調和機１の冷媒回路図、図２は冷媒加熱式空気調和機１の室内機２の電気回路図、図３は同じく室外機３の電気回路図である。
【００１８】
図１において、空気調和機１は、空調される室内に設置された室内機２と、屋外に設置された室外機３とから成る。室内機２にはスリットフィン式の室内側熱交換器４とクロスフローファン６が内蔵されており、このクロスフローファン６はファンモーター７にて駆動される。また、８は室温を検出する室温センサーであり、９は室内側熱交換器４の温度を検出する熱交温度センサーである。
【００１９】
一方、室外機３には冷媒循環手段としての圧縮機１１、四方弁１２、室外側熱交換器１３、キャピラリチューブ１８、冷媒加熱器１４及びバーナー部１６などが設置されており、これら室外機３内の機器と室内機２内の機器は接続用の冷媒配管１７Ａ、１７Ｂにて図１に示す如く接続される。
【００２０】
即ち、圧縮機１１の吐出側は四方弁１２を介して室外側熱交換器１３に配管接続され、室外側熱交換器１３は減圧装置としてのキャピラリチューブ１８、逆止弁１９及び冷媒配管１７Ａを介して室内側熱交換器４に接続される。そして、室内側熱交換器４は冷媒配管１７Ｂ、四方弁１２、逆止弁２１及びアキュムレータ２２を介して圧縮機１１の吸込側に接続される。尚、上記逆止弁１９は室内側熱交換器４側を順方向とされ、逆止弁２１はアキュムレータ２２側を順方向とされている。
【００２１】
また、冷媒加熱器１４の入口側は二方弁２３を介して逆止弁１９の順方向側に接続されると共に、出口側は逆止弁２１の順方向側に接続されている。更に、四方弁１２の冷媒配管１７Ｂ側と逆止弁２１の順方向側の間は、バイパス弁２６とオリフィス２７が直列に接続されたバイパス配管２８にて連通されている。
【００２２】
尚、３１は四方弁１２の冷媒配管１７Ｂ側の配管に取り付けられたサーミスタであり、３２は冷媒加熱器１４の出口側に取り付けられたサーミスタである。また、３３は室外側熱交換器１３に送風するプロペラファンであり、室外ファンモーター３４にて駆動される。
【００２３】
他方、バーナー部１６はガスバーナー３６と、このガスバーナー３６にガスを供給するガス供給管３５と、このガス供給管３５に介設されて前記ガスバーナー３６に供給されるガス量を調節するガス比例弁３７、このガス比例弁３７とガス入口間のガス供給管３５に安全のために二つ介設されたガス電磁弁３８、３９及びガス元栓４１、そして、ガスバーナー３６に送風する燃焼ファン４２及びこの燃焼ファン４２を駆動するバーナーモーター４３などから成る。尚、バーナーとしては灯油バーナーでも良い。
【００２４】
そして、前記冷媒加熱器１４は上記ガスバーナー３６から加熱される位置に設置される。尚、４４及び４６は冷媒加熱器１４の温度を検出して溶断する温度ヒューズ及び開閉するバイメタルスイッチである。また、ガスバーナー３６の排気は排気口４７から排出される。
【００２５】
以上の構成で、冷房運転時、四方弁１２は非通電の状態で、圧縮機１１から吐出された冷媒は図中破線矢印で示す如く四方弁１２から室外機１３に流入し、そこで凝縮液化した後、キャピラリチューブ１８で減圧される。そして、逆止弁１９を経て室内側熱交換器４に流入し、そこで蒸発することにより周囲から熱を奪って冷却作用を発揮する。
【００２６】
室内側熱交換器４により冷却された冷気はクロスフローファン６にて室内に吹き出されて冷房が行われる。また、室内側熱交換器４を出た冷媒の一部は逆止弁２１を経て、また、他（略二分の一）はバイパス配管２８のオリフィス２７、バイパス弁２６を経てアキュムレータ２２に入り、そこで気液分離されてガス冷媒のみが圧縮機１１に帰還する。これによって、逆止弁２１を小さくすることができる。尚、この場合二方弁２３は閉じておく。
【００２７】
一方、暖房運転時は、四方弁１２が通電されて切り替わり、圧縮機１１から吐出された冷媒が図中実線矢印の如く室内側熱交換器４に流入するようになる。尚、一部（略二分の一）は前述同様にバイパス配管２６に流れて圧縮機１１に帰還する。室内側熱交換器４から出た冷媒は開放されている二方弁２３を経て冷媒加熱器１４に流入する。
【００２８】
この冷媒加熱器１４に流入した冷媒はバーナー部１６のガスバーナー３６により加熱される。そして、冷媒加熱器１４から出た冷媒はアキュムレータ２２を経て圧縮機１１に帰還する。このようにして室内側熱交換器４には加熱冷媒が循環されることにより、加熱作用を発揮する。室内側熱交換器４により加熱された暖気はクロスフローファン６にて室内に吹き出されて暖房が行われる。
【００２９】
尚、このような暖房運転に先立ち、室外側熱交換器１３に溜まり込んでいた冷媒の回収が、二方弁２３及びバイパス弁２６を閉じて圧縮機１１を起動することにより行われる。係る冷媒回収後、二方弁２３を開けて冷媒を冷媒加熱器１４に流すものである。
【００３０】
また、この暖房運転において、圧縮機１１からの吐出冷媒はキャピラリチューブ１８にて減圧されることがない。従って、圧縮機１１は加熱されたガス冷媒を循環させるのみの冷媒循環手段として動作している。よって、暖房運転時は、圧縮機１１を単に冷媒循環用のポンプに換えることも可能である。
【００３１】
次に、図２の室内機２の電気回路において、５１は汎用マイクロコンピュータから成る室内マイコンであり、この室内マイコン５１には前記室内センサー８及び熱交センサー９が接続されている。更に、室内マイコン５１には設定スイッチ、表示器、リモコンからの受信器などが設けられた基板５２が接続されている。
【００３２】
また、室内マイコン５１には駆動回路５３を介してフラップモーター５４が接続される。このフラップモーター５４は室内機２に取り付けられた風向調整用の図示しないフラップを駆動するものである。更に、室内マイコン５１には位相制御回路５６を介してファンモーター７が接続される。尚、５７はファンモーター用のコンデンサである。従って、ファンモーター７は位相制御回路５６によって回転数が制御される。
【００３３】
尚、これらにはコンセント５８から二連の電源スイッチ５９を介して供給される電力がフィルター６１や降圧トランス６２、直流定電圧電源６３、６４を介して供給されることになる。また、電源スイッチ５９の一方は端子板の１番端子に接続され、他方は端子板の３番端子にそのまま接続される。更に、前記電源スイッチ５９の他方はパワーリレー６６を介して端子板の２番端子に接続されると共に、四方弁用のスイッチ６７を介して端子板の４番端子に接続される。
【００３４】
一方、図３の室外機３の電気回路において、６８は圧縮機１１を駆動するモーターであり、オーバーロードリレー６９及びパワーリレー６６を介して端子板の１番端子と２番端子間に接続されている。また、ファンモーター３４はリレー接点７１を介して前記端子板の１番端子と２番端子間に接続されている。そして、端子板の１番端子と２番端子間には更に運転信号検出回路７２が接続され、この運転信号検出回路７２の出力は汎用マイクロコンピュータから成る室外マイコン７３に入力されている。
【００３５】
四方弁１２は前記端子板の１番端子と４番端子間に接続されている。そして、端子板の１番端子と４番端子間には更に冷暖信号検出回路７６が接続され、この冷暖信号検出回路７６の出力も室外マイコン７３に入力されている。
【００３６】
また、端子板の１番端子と３番端子間にはフィルター７７を介して、二方弁２３とリレー接点７８の直列回路、バーナーモーター４３とトライアック（双方向三端子サイリスタ）７９の直列回路、バイパス弁２６とリレー接点８１の直列回路、前記ガスバーナー３６のイグナイター８２とリレー接点８３の直列回路、及び、リレー接点８４と全波整流回路８６の直列回路がそれぞれ並列に接続される。
【００３７】
前記トライアック７９のゲートには室外マイコン７３に接続された位相制御回路９４が接続される。更に、全波整流回路８６の出力には前記ガス電磁弁３９、３８が並列接続されると共に、ガス電磁弁３８には直列にリレー接点８７が接続されている。
【００３８】
室外マイコン７３には前記各サーミスタ３１、３２が接続されると共に、エラー表示などを行うＬＥＤを備えた表示回路８８も接続されている。また、室外マイコン７３には比例弁駆動回路８９を介してガス比例弁３７が接続されると共に、前記各リレー接点８７、８４、８３、７８、７１及び８１を開閉するためのコイルＣ・・を備えたリレー駆動回路９３も接続されている。
【００３９】
また、室外マイコン７３にはガス切換用のデータが格納された読み書き可能なＥＥＰＲＯＭから成るメモリ９１が接続されると共に、後述するカウントＮのデータが格納されたＥＥＰＲＯＭから成るメモリ９２も接続されている。尚、このメモリ９２はメモリ９１と兼用しても良い。更に、室外マイコン７３にはガスバーナー３６の炎を検出するフレームロッド９６を備えたフレームセンサー回路９７が接続されている。
【００４０】
尚、前記コイルＣにはフィルター７７を介して供給される電力が電源トランス９８、直流定電圧電源９９、前記温度ヒューズ４４及びバイメタルスイッチ４６を介して供給されることになる。また、電源トランス９８の２次側に接続された直流定電圧電源１０１は室外マイコン７３の電源となると共に、電源トランス９８の２次側はまたフレームセンサー回路９７に給電する。
【００４１】
そして、係る室内機２と室外機３の各端子板の１番端子と１番端子、２番端子と２番端子、３番端子と３番端子、及び、４番端子と４番端子はそれぞれ内外接続線１０２（図１）にて配設接続されることになる。
【００４２】
以上の構成で空気調和機１の動作を説明する。電源スイッチ５９は閉じられているものとし、基板５２に使用者により冷房運転が指示されると、室内マイコン５１はスイッチ６７を開く。これにより、四方弁１２は非通電となる。また、冷暖信号検出回路７６に電圧が現れないので、その出力に基づき室外マイコン７３は冷房運転を認識すると共に、リレー接点７８を開いて二方弁２３を閉じる。これにより、冷媒の流れは前述の冷房運転時の流れとなる。
【００４３】
この状態で、室内マイコン５１は室温センサー８の出力に基づき、室温が設定温度より高い場合はパワーリレー６６、６６を閉じて圧縮機１１を起動（ＯＮ）すると共に、クロスフローファン６を運転して前述の如く室内を冷房する。この冷房運転によって、室温が設定温度以下に降下すれば室内マイコン５１は室温センサー８の出力に基づき、パワーリレー６６、６６を開いて圧縮機１１を停止（ＯＦＦ）する。このＯＮ／ＯＦＦの切換動作には温度ディファレンシャル又は時間によるディファレンシャルを設けてＯＮ／ＯＦＦのチャタリングを防止している。
【００４４】
尚、圧縮機１１の起動により運転信号検出回路７２にも電圧が現れるので室外マイコン７３はその出力に基づき、リレー接点７１を閉じて室外ファンモーター３４を運転する。また、圧縮機１１が停止すると運転信号検出回路７２にも電圧が現れなくなるので、その出力変化に基づいて室外マイコン７３は室外ファンモールド３４を停止する。
【００４５】
そして、再び室温が設定温度に上昇したら（三分間のセーフタイム有り）、室内マイコン５１は再びパワーリレー６６、６６を閉じて圧縮機１１を起動する。係る冷房運転によって室内は設定温度に冷房される。
【００４６】
次に、使用者により暖房運転が指示されると、室内マイコン５１はスイッチ６７を閉じる。これにより、四方弁１２が通電される。また、冷暖信号検出回路７６に電圧が現れるので、その出力変化に基づき室外マイコン７３は暖房運転を認識すると共に、リレー接点７８を閉じて二方弁２３を開放する。これにより、冷媒の流れは前述の暖房運転時の流れとなる。
【００４７】
この状態で、室内マイコン５１は室温センサー８の出力に基づき、室温が設定温度（即ち、下限温度：例えば＋２２℃）より低い場合はパワーリレー６６、６６を閉じて圧縮機１１を起動（ＯＮ）すると共に、クロスフローファン６を運転する。圧縮機１１が起動されると運転信号検出回路７２にも電圧が現れるので、その出力変化に基づき室外マイコン７３は各リレー接点を操作してガス電磁弁３８、３９を開くと共に、ガス比例弁３７を開いてガスバーナー３６にガスを供給する。また、イグナイター８２に通電してガスバーナー３６に点火（運転：ＯＮ）すると共に、バーナーモーター４３により燃焼ファン４２を運転してガスバーナー３６に送風する。
【００４８】
尚、ガスバーナー３６における燃焼量は室外マイコン７３の制御によるガス比例弁３７の開度及びバーナーモーター４３の回転数調整により変更可能とされているが、通常モード（暖房運転）では１００％の燃焼量で運転される。
【００４９】
上記の如く冷媒加熱器１４の加熱が行われ、前述の如く室内を暖房する。この暖房運転によって、室温が前記設定温度＋１℃の上限温度（＋２３℃）に上昇したら室内マイコン５１は室温センサー８の出力に基づき、パワーリレー６６、６６を開いて圧縮機１１を停止（ＯＦＦ）する。この圧縮機１１の停止により運転信号検出回路７２にも電圧が現れなくなるので、その出力変化によって室外マイコン７３は各ガス電磁弁３８、３９を閉じ、ガスバーナー３６を消火（種火の状態）する（燃焼停止：ＯＦＦ）。
【００５０】
そして、再び室温が設定温度に降下したら（三分間のセーフタイム有り）、室内マイコン５１は再びパワーリレー６６、６６を閉じて圧縮機１１を起動する。そして、室外マイコン７３は係る圧縮機１１の起動に基づき、前述同様にガスバーナー３６に点火する。係る暖房運転によって室内は設定温度付近に暖房される。
【００５１】
尚、室外マイコン７３はサーミスタ３２が検出する冷媒加熱器１４出口の温度が例えば＋８５℃などの異常温度に上昇した場合は、ガスバーナー３６を強制消火する。また、サーミスタ３２が例えば＋５５℃以上を検出した場合には前述の如くガス比例弁３７とバーナーモーター４３を調整してガスバーナー３６の燃焼量を落とす操作を行うものである。
【００５２】
次に、図４及び図５を参照しながら室外マイコン７３による暖房運転時のセーブ運転制御について説明する。図４は係るセーブ運転制御に関する室外マイコン７３の動作フローチャートを示している。室外マイコン７３は電源が投入されると先ずステップＳ１でイニシャライズし、ステップＳ２で現在暖房運転か否か判断する。
【００５３】
前述の冷暖信号検出回路７６の出力に基づき、暖房運転と認識したらステップＳ３に進んで、バーナー部１６のガスバーナー３６が現在燃焼中（ＯＮ）か否か判断し、燃焼中であればステップＳ４に進んで室外マイコン７３がその機能として有する計時手段としてのカウンタをカウントする。そして、ステップＳ５では現在設定されているパワーステップ能力（この時点ではパワーステップ０とする）によりガスバーナー３６の燃焼（燃焼量）を制御する。
【００５４】
ここで、上記パワーステップ能力は実施例では後述する如く三段階で変更され、パワーステップ０では室外マイコン７３が燃焼量を１００％、パワーステップ−１では燃焼量を７０％、パワーステップ−２では燃焼量を５０％に設定するものである。
【００５５】
次ぎに、ステップＳ３でガスバーナー３６が停止（ＯＦＦ）している場合には、ステップＳ６に進み、前記カウンタのカウントが例えば１０分などの前記カウントＮ（メモリ９２に格納されている）より短いか否か判断する。
【００５６】
室外マイコン７３はステップＳ４でガスバーナー３６による加熱時間（ガスバーナー３６が燃焼している時間）を積算しており、当該加熱時間が前記カウントＮ以上の場合は、ステップＳ６からステップＳ７に進み、Ｎ未満の場合にはステップＳ１１に進む。
【００５７】
ここで、室内の熱負荷が小さい場合などにはガスバーナー３６の１００％の燃焼量（パワーステップ０）の加熱開始（＋２２℃）により室温が急速に上昇するため、停止（＋２３℃）までに１０分かからなくなる。係る場合には室外マイコン７３は前述の如くステップＳ６からステップＳ１１に進んで現在のパワーステップから−１する。即ち、ここまでのパワーステップは０（燃焼量１００％）であったから、パワーステップは−１となる。
【００５８】
次ぎに、ステップＳ１２で設定されているパワーステップが−２以下か否か判断し、ここでは−１となっているからステップＳ１０に進んで前記カウンタをリセットし、ステップＳ３に戻る。これによって、ステップＳ５における次回のガスバーナー３６の能力はパワーステップ−１となり、室外マイコン７３はガス比例弁３７とバーナーモーター４３を調整してガスバーナー３６の燃焼量を低減し、７０％とする。
【００５９】
これによって、冷媒加熱器１４の加熱量は低下するので、暖房効果は低減されることになる。従って、図５に実線で示す如く暖房運転中の室温上昇はパワーステップ０（破線で示す）の場合に比してなだらかとなり、＋２３℃達する時間も延長されるようになる。
【００６０】
これにより、バーナー部１６のガスバーナー３６や圧縮機１１の頻繁なＯＮ−ＯＦＦを解消することができるようになり（実験ではＯＮ−ＯＦＦ回数が約半分に低減された）、これらの機器の耐久性を向上させることが可能となると共に、消費電力（圧縮機１１の起動電流など）も削減できるようになる。
【００６１】
また、頻繁な暖房ＯＮ−ＯＦＦが回避されることになるので、室内の温度変化が小さくなる。特に、パワーステップ０では図５の如く生じていた所謂オーバーシュートも低減されるようになり、使用者の快適性も向上する。
【００６２】
このようなパワーステップ−１での暖房運転中における前記カウンタのカウントが時間Ｎ未満となった場合には、室外マイコン７３はガスバーナー３６を停止後、ステップＳ６からステップＳ１１に進み、現在のパワーステップから更に−１する。即ち、ここまでのパワーステップは−１（燃焼量７０％）であったから、パワーステップは−２となる。
【００６３】
次ぎに、ステップＳ１２で設定されているパワーステップが−２以下か否か判断し、ここでは−２となっているからステップＳ１３に進んでパワーステップを−２（燃焼量５０％）に設定する。そして、ステップＳ１０で前記カウンタをリセットし、ステップＳ３に戻る。これによって、ステップＳ５における次回のガスバーナー３６の能力はパワーステップ−２となり、その燃焼量は５０％に更に低減されることになる。
【００６４】
これによって、冷媒加熱器１４の加熱量は更に低下することになる。即ち、パワーステップ−１の暖房運転による室内温度の変化度合いが依然大きい場合、室外マイコン７３は更に燃焼量を低減するパワーステップ−２に移行するので、ガスバーナー３６の燃焼量はパワーステップ０から段階的に低減され、機器の耐久性と快適性は一層向上される。尚、係るセーブ運転中バイパス弁２６は開放されたままとなる。
【００６５】
ここで、前記パワーステップ−１或いは−２の設定においてガスバーナー３６の燃焼時間が時間Ｎ（１０分）に達した場合は、室外マイコン７３はステップＳ６からステップＳ７に進み、現在のパワーステップに＋１する。即ち、ここまでのパワーステップが−１であれば０に、また、−２であればパワーステップの設定は−１となる。
【００６６】
次ぎに、ステップＳ８で設定されているパワーステップが０以上か否か判断し、−１のときにはステップＳ１０に進んで前記カウンタをリセットし、ステップＳ３に戻ると共に、０以上の場合にはステップＳ９に進んでパワーステップを０に設定する。これによって、ステップＳ５における次回のガスバーナー３６の能力はパワーステップ−１からはパワーステップ０に、また、パワーステップ−２からはパワーステップ−１となり、室外マイコン７３はガス比例弁３７とバーナーモーター４３を調整してガスバーナー３６の燃焼量を増大する。
【００６７】
即ち、室外マイコン７３はセーブ運転制御を実行している場合に、例えば扉や窓の開閉により暖房効果が不足する状態となり、設定温度から上限温度に上昇するまでの時間が長くなると、燃焼量を自動的に増大させる。特に、室外マイコン７３はパワーステップ−２から一気にパワーステップ０に戻さず、パワーステップ−１に戻し、それでも足りない場合はパワーステップ０に復帰させる制御を行うので、急激な暖房効果の変化を来さず、係る場合における快適性も支障無く維持することが可能となる。
【００６８】
尚、前記時間Ｎやこの時間Ｎの判断回数（実施例では一回）は実施例に限らず、空気調和機の容量や能力に応じて適宜設定するものとする。また、実施例ではパワーステップを三段階で設定したが、更に複数段のパワーステップを設定しても良いものである。更に、実施例ではパワーステップの増減判断を同一の時間Ｎで行ったが、それぞれ別々の時間を設定して判断しても良い。
【００６９】
【発明の効果】
以上詳述した如く本発明によれば、バーナーによる加熱開始から停止されるまでの加熱時間を計時手段により計時し、当該加熱時間が第１の所定値よりも短い場合にはセーブ運転制御手段によりバーナーの燃焼量の設定を低減する制御を行うようにしたので、特に室内の熱負荷が小さく、バーナーの燃焼により室内温度が急速に上昇するような状況において、バーナーの燃焼量の設定を低減させ、バーナーや冷媒循環手段の頻繁なＯＮ−ＯＦＦを解消することができるようになる。
【００７０】
これにより、これらの機器の耐久性を向上させることが可能となると共に、消費電力の削減も期待できる。また、頻繁な暖房ＯＮ−ＯＦＦが回避されることになるので、室内の温度変化が小さくなり、使用者の快適性も向上するものである。
【００７１】
請求項２の発明によれば、上記に加えてバーナーの燃焼量の設定を低減している状態における加熱時間が第２の所定値よりも短い場合、セーブ運転制御手段がバーナーの燃焼量の設定を更に低減するようにしたので、暖房による室内温度の変化度合いに応じて燃焼量は段階的に低減されるようになる。従って、機器の耐久性と快適性を一層向上させることができるようになるものである。
【００７２】
請求項３の発明によれば、上記各発明に加えてバーナーの燃焼量の設定を低減している状態における加熱時間が第３の所定値以上となった場合、セーブ運転制御手段がバーナーの燃焼量の設定を増大させるようにしたので、扉や窓の開閉により暖房効果が不足する状態となった場合には燃焼量が自動的に増大され、係る場合における快適性も支障無く維持することが可能となるものである。
【００７３】
請求項４の発明によれば、請求項２又は請求項３の発明に加えて第１の所定値乃至第３の所定値を同じ値としたので、制御方式が簡素化されるものである。
【図面の簡単な説明】
【図１】  本発明の冷媒加熱式空気調和機の冷媒回路図である。
【図２】  本発明の冷媒加熱式空気調和機の室内機の電気回路図である。
【図３】  本発明の冷媒加熱式空気調和機の室外機の電気回路図である
【図４】  室外マイコンのセーブ運転制御に関するプログラムを示すフローチャートである。
【図５】  暖房運転時の室温の変化を示す図である。
【符号の説明】
１  冷媒加熱式空気調和機
２  室内機
３  室外機
４  室内側熱交換器
１１  圧縮機
１２  四方弁
１３  室外側熱交換器
１４  冷媒加熱器
１６  バーナー部
３６  ガスバーナー
５１  室内マイコン
７３  室外マイコン
【図１】
0003675589.tif 000002
【図２】
0003675589.tif 000003
【図３】
0003675589.tif 000004
【図４】
0003675589.tif 000005
【図５】
0003675589.tif 000006